(57)【特許請求の範囲】
【請求項１】
コンピュータを、
表示画面上の明細データ内の明細項目単位で設けられた部門ごとの表示領域を強調表示する強調表示手段、
前記明細項目単位で設けられた前記部門の表示領域に関連付けられたコメントデータが登録されているか否かを前記表示領域ごとに判定する判定手段、
前記強調表示手段を制御して、前記判定手段によってコメントデータが登録されていると判定された部門の表示領域を強調表示する表示制御手段、
として機能させることを特徴とする表示制御プログラム。
【請求項２】
前記コンピュータを、
前記表示画面にコメントデータを表示するコメント表示手段、
前記強調表示手段によって強調表示された表示領域の選択指示を検出する検出手段、
前記検出手段によって選択指示が検出された表示領域と関連付けられたコメントデータを取得する取得手段として機能させ、
前記表示制御手段は、
前記コメント表示手段を制御して、前記取得手段によって取得されたコメントデータを所定の表示領域に表示することを特徴とする請求項１に記載の表示制御プログラム。
【請求項３】
前記判定手段は、
前記検出手段によって選択指示が検出された場合、前記明細項目単位で設けられた複数の表示領域のうち、前記選択指示が検出された一の表示領域とは異なる他の表示領域と関連付けられたコメントデータが登録されているか否かを判定し、
前記取得手段は、
前記判定手段によって前記他の表示領域と関連付けられたコメントデータが登録されていると判定された場合、前記一の表示領域と関連付けられたコメントデータとともに、前記他の表示領域と関連付けられたコメントデータを取得し、
前記表示制御手段は、
前記コメント表示手段を制御して、前記取得手段によって取得された前記一の表示領域と関連付けられたコメントデータと、前記他の表示領域と関連付けられたコメントデータとを前記所定の表示領域に表示することを特徴とする請求項２に記載の表示制御プログラム。
【請求項４】
前記検出手段は、
前記表示画面に表示されたカーソルが指し示す位置が強調表示された表示領域内であることを検出し、
前記取得手段は、
前記検出手段によって前記カーソルが指し示す位置が強調表示された表示領域内であることが検出された場合、当該表示領域と関連付けられたコメントデータを取得し、
前記表示制御手段は、
前記コメント表示手段を制御して、前記取得手段によって取得されたコメントデータの一部または全部を吹き出し表示することを特徴とする請求項２または３に記載の表示制御プログラム。
【請求項５】
表示画面上の明細データ内の明細項目単位で設けられた部門ごとの表示領域を強調表示する強調表示手段と、
前記明細項目単位で設けられた前記部門の表示領域に関連付けられたコメントデータが登録されているか否かを前記表示領域ごとに判定する判定手段と、
前記強調表示手段を制御して、前記判定手段によってコメントデータが登録されていると判定された部門の表示領域を強調表示する表示制御手段と、
を備えることを特徴とする表示制御装置。
【請求項６】
コンピュータによる表示制御方法であって、
表示画面上の明細データ内の明細項目単位で設けられた部門ごとの表示領域を強調表示する強調表示工程と、
前記明細項目単位で設けられた前記部門の表示領域に関連付けられたコメントデータが登録されているか否かを前記表示領域ごとに判定する判定工程と、
前記強調表示工程を制御して、前記判定工程によってコメントデータが登録されていると判定された部門の表示領域を強調表示する表示制御工程と、
を含んだことを特徴とする表示制御方法。
【発明の詳細な説明】
【技術分野】
【０００１】
この発明は、表示画面上の明細データに対するコメント表示にかかる使用エリアを最適化する表示制御プログラム、表示制御装置、表示制御方法に関する。
【背景技術】
【０００２】
健康保険を利用して医療を受ける保険診療は、被保険者（患者）が保険者から発行された被保険者証を保険指定された医療機関に提示し、保険医指定された医師によっておこなわれる。この保険診療には、診療報酬が定められている。診療報酬の一部は保険診療を受ける被保険者により医療機関に支払われ、残りの診療報酬は保険者から医療機関へ支払われる。
【０００３】
このとき、医療機関から保険者に提出される書類をレセプトという。レセプトは、医療機関で保険診療を受けたときの被保険者の自己負担分以外の料金を医療機関が保険者に請求するための診療報酬明細書である。一般に、レセプトは１ヶ月単位で患者ごとの診療内容を入院・外来、医療保険別に分けて規定のフォーマットにとりまとめたものである。
【０００４】
保険者に提出されたレセプトの記載に誤りがあった場合、保険者から医療機関への支払いがおこなわれないという問題が発生する。このため、保険者へレセプトを提出する前に、医療機関においてレセプトに誤りがないかどうかを事前にチェックする必要がある。
【０００５】
ところが、患者数の増加や事務作業の細分化、医療制度の複雑化にともなって、レセプトのチェックにかかる作業負担が増大している。また、レセプトのチェックには、記載不備などの単純なレベルから、病名に対する診療内容が妥当か否かといった医学的知識が必要となるものまである。
【０００６】
このようなことから、レセプトのチェック作業にかかる作業負担の軽減化および効率化を図る技術が提供されている。たとえば、レセプト内の誤り箇所および誤り内容をわかりやすい態様で表示する技術が開示されている（たとえば、下記特許文献１参照。）
【０００７】
【特許文献１】特開平１０−１４３５６２号公報
【発明の開示】
【発明が解決しようとする課題】
【０００８】
しかしながら、上述した特許文献１に記載の従来技術によれば、特定の誤り箇所について、複数部門（たとえば、医師課、医事課など）に対するコメントが混在する場合であっても、それらコメントが一括表示されてしまう。各部門の担当者は、一括表示されたコメント内容を確認して、自部門に対するコメントを判断する必要がある。このため、対象部門を識別する手間がかかるだけでなく、コメント内容の確認漏れを招いてしまい、チェック作業にかかる作業負担が増大するという問題があった。
【０００９】
また、画面上にコメントを残すためには、コメント文字数分のコメント欄の設置やコメント内容が記入された電子付箋を貼り付けることによるエリアの占有が必要となる。ところが、このエリアの占有によりレセプトの表示エリアが小さくなり、一画面で確認できる情報量が少なくなってしまう。この結果、スクロール操作などの手間が増えるだけでなく、未表示部分の確認漏れを招くという問題があった。
【００１０】
さらに、一画面に一つの専用のコメント欄を設置する場合、コメント欄に表示されたコメントが、レセプト内のどの箇所についてのものなのかを特定するのに時間がかかる場合があるという問題があった。コメント記入者が対象となる箇所を明確に記入することも考えられるが、コメント記入者の作業負担が増大してしまうという問題がある。
【００１１】
この発明は、上述した従来技術による問題点を解消するため、コメント表示にかかる使用エリアを極小化するとともに、部門ごとのコメント対応を可能とすることにより、チェック作業にかかる作業負担の軽減化および作業効率の向上を図ることができる表示制御プログラム、表示制御装置、表示制御方法を提供することを目的とする。
【課題を解決するための手段】
【００１２】
上述した課題を解決し、目的を達成するため、この表示制御プログラム、表示制御装置、表示制御方法は、表示画面上の明細データ内の明細項目単位で設けられた部門ごとの表示領域に関連付けられたコメントデータが登録されているか否かを前記表示領域ごとに判定し、コメントデータが登録されていると判定された部門の表示領域を強調表示することを要件とする。
【００１３】
この表示制御プログラム、表示制御装置、表示制御方法によれば、明細項目単位で設けられた部門ごとの表示領域を強調表示することで、各部門に対するコメントの有無を報知することができる。このとき、表示画面上にコメントを直接表示しないため、コメント表示にかかる使用エリアを極小化することができる。
【発明の効果】
【００１４】
この表示制御プログラム、表示制御装置、表示制御方法によれば、コメント表示にかかる使用エリアを極小化するとともに、部門ごとのコメント対応を可能とすることにより、チェック作業にかかる作業負担の軽減化および作業効率の向上を図ることができるという効果を奏する。
【発明を実施するための最良の形態】
【００１５】
以下に添付図面を参照して、この表示制御プログラム、表示制御装置、表示制御方法の好適な実施の形態を詳細に説明する。
【００１６】
（実施の形態１）
まず、本実施の形態１の概要について説明する。本実施の形態１において、表示制御装置とは、保険医指定された医師や歯科医師により医療処置を受けることができる病院や診療所などの施設に設置されるレセプトコンピュータ装置であり、表示制御プログラムとは、レセプトコンピュータ装置にインストールされたプログラムである。
【００１７】
図１は、実施の形態１の概要を示す説明図である。図１において、レセプトコンピュータ装置（以下、「レセコン装置」という）１０１は、レセプトＤＢ１１０とコメントＤＢ１２０とを備え、レセプトデータおよびコメントデータの作成、修正、削除をおこなうコンピュータ装置である。
【００１８】
レセプトデータとは、医療機関で保険診療を受けたときの被保険者の自己負担分以外の料金を医療機関が審査支払機関（国民健康保険組合連合会や社会保険診療報酬支払基金など）に請求する診療報酬明細書である。また、コメントデータとは、レセプトデータ内の誤り箇所を指摘するコメントである。
【００１９】
審査支払機関に提出されたレセプトデータに誤りがあった場合には、審査支払機関から医療機関への支払いがおこなわれないため、審査支払機関への提出前に、医療機関において独自にレセプトデータのチェックをおこなう必要がある。ここで、医療機関におけるレセプトデータのチェック作業について説明する。
【００２０】
ここでは医療業務に携わる部門として、レセプトデータをチェックするチェック部門の他に、医事課部門（以下、「部門１」という）、医師課部門（以下、「部門２」という）、システム部門（以下、「部門３」という）がある場合を例に挙げる。また、レセプトデータＲは、複数の明細項目１〜５からなる診療報酬明細書である。
【００２１】
まず、チェック部門の担当者により、レセプトＤＢ１１０内のレセプトデータＲの内容がチェックされる。チェック部門の担当者は、誤り箇所を発見した場合、その誤り箇所に関するコメントを入力する。このとき、確認して欲しい部門１〜３を指定することで、指定された部門専用のコメントとしてコメントＤＢ１２０に登録される。
【００２２】
このあと、各部門１〜３の担当者により、コメント付きのレセプトデータＲ’の内容がチェックされる。各部門１〜３の担当者は、部門１〜３ごとに設けられた表示領域に表示されたアイコンを確認することで、自部門に対するコメントの有無を容易に判断することができる。
【００２３】
具体的には、部門１の担当者は、自部門に対して明細項目３についてのコメントが登録されていることがわかる。部門２の担当者は、自部門に対して明細項目１についてのコメントが登録されていることがわかる。部門３の担当者は、自部門に対して明細項目５についてのコメントが登録されていることがわかる。
【００２４】
また、たとえば、部門１の担当者は、画面上のカーソルＣを操作してアイコン１３０を選択すると、明細項目３についてのコメントを確認することができる。さらに、部門１の担当者によるコメント内容の確認および誤り箇所の修正が完了すると、アイコン１３０が非表示となる。
【００２５】
このように、明細項目についてのコメントを直接表示することなく、コメントが登録されていることを報知するアイコンを表示することにより、コメント表示にかかる占有エリアの極小化を図ることができる。さらに、各明細項目について部門ごとにアイコンを表示することにより、どの明細項目についてどの部門に対するコメントが登録されているのかをユーザに認識させることができる。
【００２６】
（レセプトＤＢの記憶内容）
つぎに、図１に示したレセコン装置１０１に用いられるレセプトＤＢ１１０の記憶内容について説明する。図２は、レセプトＤＢの記憶内容を示す説明図である。図２において、レセプトＤＢ１１０には、患者ごとに、患者ＩＤ、レセプトＩＤおよびレセプトデータＲ１〜Ｒｎが記憶されている。
【００２７】
患者ＩＤは、患者を特定する識別子である。レセプトＩＤは、レセプトデータＲ１〜Ｒｎを特定する識別子である。レセプトデータＲ１〜Ｒｎは、たとえば、ＣＳＶ（Ｃｏｍｍａ  Ｓｅｐａｒａｔｅｄ  Ｖａｌｕｅ  ｆｏｒｍａｔ）形式で記述された電子データである。
【００２８】
（コメントＤＢの記憶内容）
つぎに、図１に示したレセコン装置１０１に用いられるコメントＤＢ１２０の記憶内容について説明する。図３は、コメントＤＢの記憶内容を示す説明図である。図３において、レセプトデータＲ１〜Ｒｎごとに、レセプトＩＤ、明細項目ＩＤ、部門ＩＤおよびコメント内容に関するコメントリスト３００−１〜３００−ｎが記憶されている。
【００２９】
明細項目ＩＤは、各レセプトデータＲ１〜Ｒｎ内の明細項目を特定する識別子である。部門ＩＤは、部門を特定する識別子である。コメント内容は、明細項目に関するコメントの内容である。レセコン装置１０１は、コメントリスト３００−１〜３００−ｎを参照することにより、レセプトデータＲ１〜Ｒｎ内のどの明細項目について、どの部門に対するコメントが登録されているのかを認識することができる。
【００３０】
各コメントリスト３００−１〜３００−ｎは、少なくとも一つ以上のコメントデータから構成されている。たとえば、コメントリスト３００−ｉは、５つのコメントデータＣｉ−１〜Ｃｉ−５から構成されている。コメントデータＣｉ−５を例に挙げると、レセプトデータＲｉ内の明細項目Ｈｉ−５についての部門１に対するコメント内容は『合計点数が誤っています』である。
【００３１】
（レセコン装置のハードウェア構成）
つぎに、図１に示したレセコン装置１０１のハードウェア構成について説明する。図４は、レセコン装置のハードウェア構成を示すブロック図である。
【００３２】
図４においてレセコン装置１０１は、ＣＰＵ（Ｃｅｎｔｒａｌ  Ｐｒｏｃｅｓｓｉｎｇ  Ｕｎｉｔ）４０１と、ＲＯＭ（Ｒｅａｄ  Ｏｎｌｙ  Ｍｅｍｏｒｙ）４０２と、ＲＡＭ（Ｒａｎｄｏｍ  Ａｃｃｅｓｓ  Ｍｅｍｏｒｙ）４０３と、磁気ディスクドライブ４０４と、磁気ディスク４０５と、光ディスクドライブ４０６と、光ディスク４０７と、ディスプレイ４０８と、Ｉ／Ｆ（インターフェース）４０９と、キーボード４１０と、マウス４１１と、スキャナ４１２と、プリンタ４１３と、を備えている。また、各構成部はバス４００によってそれぞれ接続されている。
【００３３】
ここで、ＣＰＵ４０１は、レセコン装置１０１の全体の制御を司る。ＲＯＭ４０２は、ブートプログラムなどのプログラムを記憶している。ＲＡＭ４０３は、ＣＰＵ４０１のワークエリアとして使用される。磁気ディスクドライブ４０４は、ＣＰＵ４０１の制御にしたがって磁気ディスク４０５に対するデータのリード／ライトを制御する。磁気ディスク４０５は、磁気ディスクドライブ４０４の制御で書き込まれたデータを記憶する。また、磁気ディスク４０５として、ハードディスク、フレキシブルディスクなどを採用することができる。
【００３４】
光ディスクドライブ４０６は、ＣＰＵ４０１の制御にしたがって光ディスク４０７に対するデータのリード／ライトを制御する。光ディスク４０７は、光ディスクドライブ４０６の制御で書き込まれたデータを記憶したり、光ディスク４０７に記憶されたデータをコンピュータ装置に読み取らせたりする。
【００３５】
また、光ディスク４０７として、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、ＭＯ（Ｍａｇｎｅｔｏ  Ｏｐｔｉｃａｌ）、メモリーカードなどを採用することができる。ディスプレイ４０８は、カーソル、アイコンあるいはツールボックスをはじめ、文書、画像、機能情報などのデータを表示する。このディスプレイ４０８は、たとえば、ＣＲＴ（Ｃａｔｈｏｄｅ  Ｒａｙ  Ｔｕｂｅ）、ＴＦＴ（Ｔｈｉｎ  Ｆｉｌｍ  Ｔｒａｎｓｉｓｔｏｒ）液晶ディスプレイ、プラズマディスプレイなどを採用することができる。
【００３６】
Ｉ／Ｆ４０９は、通信回線を通じてインターネットなどのネットワーク４１４に接続され、このネットワーク４１４を介して他のコンピュータ装置に接続される。そして、Ｉ／Ｆ４０９は、ネットワーク４１４と内部のインターフェースを司り、外部装置からのデータの入出力を制御する。Ｉ／Ｆ４０９には、たとえば、モデムやＬＡＮ（Ｌｏｃａｌ  Ａｒｅａ  Ｎｅｔｗｏｒｋ）アダプタなどを採用することができる。
【００３７】
キーボード４１０は、文字、数字、各種指示などの入力のためのキーを備え、データの入力をおこなう。また、タッチパネル式の入力パッドやテンキーなどであってもよい。マウス４１１は、カーソルの移動や範囲選択、あるいはウィンドウの移動やサイズの変更などをおこなう。ポインティングデバイスとして同様に機能を備えるものであれば、トラックボールやジョイスティックなどであってもよい。
【００３８】
スキャナ４１２は、画像を光学的に読み取りコンピュータ装置内に画像データを取り込む。なお、スキャナ４１２は、ＯＣＲ（Ｏｐｔｉｃａｌ  Ｃｈａｒａｃｔｅｒ  Ｒｅａｄｅｒ）機能を持たせてもよい。また、プリンタ４１３は、画像データや文書データを印刷する。プリンタ４１３には、たとえば、レーザプリンタやインクジェットプリンタを採用することができる。
【００３９】
（レセコン装置の機能的構成）
つぎに、レセコン装置１０１の機能的構成について説明する。図５は、レセコン装置の機能的構成を示すブロック図である。図５において、レセコン装置１０１は、レセプトＤＢ１１０と、コメントＤＢ１２０と、取得部５０１と、表示部５０２と、入力部５０３と、強調表示部５０４と、判定部５０５と、表示制御部５０６と、検出部５０７と、コメント表示部５０８と、決定部５０９と、を備えている。
【００４０】
これら各機能５０１〜５０９は、レセコン装置１０１のＲＯＭ４０２やＲＡＭ４０３などの記憶部に記憶された当該機能５０１〜５０９に関するプログラムをＣＰＵ４０１に実行させることにより、または、入出力Ｉ／Ｆにより、当該機能を実現することができる。また、各機能５０１〜５０９からの出力データは上記記憶部に保持される。また、図５中矢印で示した接続先の機能は、接続元の機能からの出力データを記憶部から読み込んで、当該機能に関するプログラムをＣＰＵ４０１に実行させるものとする。
【００４１】
まず、取得部５０１は、明細データを取得する機能を有する。明細データは、少なくとも一つの明細項目からなる電子データである。明細データとしては、たとえば、医療業務にかかるレセプトデータや会計業務にかかる帳票データなどがある。以下において、本実施の形態１では、『明細データ』を、医療機関において作成される『レセプトデータ』として説明する。
【００４２】
レセプトデータ（明細データ）は、レセコン装置１０１に直接入力することとしてもよく、また、レセプトＤＢ１１０からの抽出により取得することとしてもよい。後者の場合、たとえば、ユーザが任意に指定した患者（患者ＩＤ）のレセプトデータＲ１〜ＲｎをレセプトＤＢ１１０から取得することとなる。
【００４３】
表示部５０２は、取得部５０１によって取得されたレセプトデータをディスプレイ４０８に表示する機能を有する。ここで、ディスプレイ４０８に表示されたレセプトデータの具体例について説明する。以降において、図２に示した患者ＩＤ『××−ｉ』のレセプトデータＲｉを例に挙げて説明する。
【００４４】
図６は、レセプトデータの画面例を示す説明図である。図６において、ディスプレイ４０８には、レセプトデータＲｉに関するレセプト画面６００が表示されている。レセプトデータＲｉ内の明細項目Ｈｉ−１〜Ｈｉ−９と同一行の表示領域には、各明細項目Ｈｉ−１〜Ｈｉ−９についてのコメントが登録されている場合に強調表示される表示領域が部門１〜３ごとに設けられている。
【００４５】
明細項目Ｈｉ−５を例に挙げると、明細項目Ｈｉ−５と同一行の表示領域６１０には、明細項目Ｈｉ−５についてのコメントが登録されている場合に強調表示される部門１〜３ごとの表示領域６１０ａ，６１０ｂ，６１０ｃが設けられている。
【００４６】
ここで、部門とは、たとえば、医療業務に携わる各部門を業務内容によって区別するものであり、医師部門、看護師部門、医療事務課部門などで区別してもよく、また、外科や内科などの診療科部門で区別することとしてもよい。ここでは部門１〜３は、それぞれ医事課部門、医師部門、システム部門をあらわしている。また、レセプト画面６００において、カーソルＣを移動させてボタンＢ２をクリックすると、レセプト画面６００を閉じることができる。なお、ボタンＢ１については後述する。
【００４７】
図５の説明に戻り、入力部５０３は、レセプトデータ内の明細項目に関するコメントデータの入力を受け付ける機能を有する。具体的には、たとえば、図４に示したキーボード４１０やマウス４１１などをユーザが操作することにより、任意の明細項目についてのコメントを入力することができる。
【００４８】
たとえば、医療機関におけるチェック部門の担当者は、図６に示したレセプト画面６００に表示されたレセプトデータＲｉの内容を確認して、誤り箇所の有無をチェックする。このとき、誤り箇所を発見した場合には、上記入力部５０３により、その誤り箇所についてのコメントを入力することができる。
【００４９】
具体的には、たとえば、レセプト画面６００において、カーソルＣを移動させて明細項目Ｈｉ−１〜Ｈｉ−８と同一行に設けられた表示領域をダブルクリックすることで、任意の部門１〜３に対するコメントを入力することができる。ここで、コメントを入力する際にディスプレイ４０８に表示されるコメント欄の一例について説明する。ここではレセプトデータＲｉ内の明細項目Ｈｉ−５に誤りがあり、部門１の担当者に対してコメントを残す場合を想定する。
【００５０】
図７は、コメント欄の一例を示す説明図である。図７において、レセプト画面６００には、コメントを入力するコメント欄７００が表示されている。このコメント欄７００は、図６に示したレセプト画面６００において、カーソルＣを移動させて明細項目Ｈｉ−５と同一行に設けられた表示領域６１０ａをダブルクリックすることで出現する。コメント欄７００において、ユーザがキーボード４１０やマウス４１１などを操作することで、明細項目Ｈｉ−５についての任意のコメントを入力することができる。
【００５１】
また、カーソルＣを移動させてボタン７１０をクリックすると、コメントの編集を中止することができる。また、カーソルＣを移動させてボタン７２０をクリックすると、コメントを削除することができる。なお、ボタン７２０のクリック操作は、最初のコメント入力時のみおこなうことができることとしてもよい。
【００５２】
また、カーソルＣを移動させてボタン７３０をクリックすると、磁気ディスク４０５や光ディスク４０７などの記憶部に保持されているコメント一覧が表示される。このコメント一覧から任意のコメントを選択することで、コメント入力にかかる手間を軽減することができる。コメント一覧には、たとえば、一般的によく使用される定型コメントが部門ごとに登録されている。上述の例では、部門１に対するコメント一覧が表示される。
【００５３】
また、コメント内容が確定したあと、カーソルＣを移動させてボタン７４０をクリックすると、コメント欄７００が閉じる。そして、コメント欄７００を閉じたあと、カーソルＣを移動させてボタンＢ１をクリックすると、コメント欄７００に入力されたコメントに関するコメントデータが、表示領域６１０ａと関連付けてコメントＤＢ１２０に登録される。より具体的には、レセプトデータＲｉのレセプトＩＤ『Ｒｉ』と、明細項目ＩＤ『Ｈｉ−５』と、部門『１』と、コメントデータとが関連付けられてコメントＤＢ１２０に登録される。
【００５４】
図５の説明に戻り、強調表示部５０４は、レセプトデータ内の明細項目単位で設けられた部門ごとの表示領域を強調表示する機能を有する。具体的には、たとえば、表示領域の色を変えることで強調表示することとしてもよく、また、図形や記号などのアイコンを表示することとしてもよい。
【００５５】
判定部５０５は、明細項目単位で設けられた部門の表示領域と関連付けられたコメントデータが登録されているか否かを表示領域ごとに判定する機能を有する。ここで、レセプトデータＲｉを例に挙げて、判定部５０５による判定処理の具体的な処理内容の一例について説明する。
【００５６】
まず、取得部５０１により、レセプトデータＲｉと関連付けられているコメントリスト３００−ｉをコメントＤＢ１２０から取得する。そして、判定部５０５により、取得部５０１によって取得されたコメントリスト３００−ｉに基づいて、表示領域に関連付けられたコメントデータが登録されているか否かを表示領域ごとに判定する。
【００５７】
より詳細に説明すると、コメントリスト３００−ｉの中から任意のコメントデータＣｉ−１〜Ｃｉ−５を抽出して、抽出されたコメントデータＣｉ−１〜Ｃｉ−５から表示領域を特定する。そして、特定された表示領域を、コメントデータＣｉ−１〜Ｃｉ−５が登録されている表示領域と判定する。
【００５８】
たとえば、コメントリスト３００−ｉの中からコメントデータＣｉ−１が抽出された場合、明細項目Ｈｉ−１と同一行に設けられた部門１の表示領域が特定され、コメントデータＣｉ−１が登録されている表示領域であると判定する。判定部５０５は、未抽出のコメントデータＣｉ−１〜Ｃｉ−５がなくなるまで上記処理を繰り返す。
【００５９】
表示制御部５０６は、強調表示部５０４を制御して、判定部５０５によってコメントデータが登録されていると判定された部門の表示領域を強調表示する機能を有する。ここで、表示領域が強調表示された画面例について説明する。
【００６０】
図８は、表示領域が強調表示された画面例を示す説明図である。図８に示すレセプト画面６００において、レセプトデータＲｉ内の明細項目Ｈｉ−１，Ｈｉ−３，Ｈｉ−５と同一行に設けられた表示領域Ａ１〜Ａ４が強調表示されている。具体的には、部門１〜３ごとに異なる色により強調表示されている。
【００６１】
ユーザは、強調表示された表示領域Ａ１〜Ａ４を確認することで、どの明細項目についてコメントがあるのかを確認することができる。さらに、表示領域Ａ１〜Ａ４が部門ごとに分類されているため、自部門に対するコメントの有無を迅速に判断することができる。また、カーソルＣを移動させて強調表示された表示領域Ａ１〜Ａ４を指し示すことで、コメントの一部または全部を吹き出し表示することができる。
【００６２】
検出部５０７は、ディスプレイ４０８に表示されたカーソルＣが指し示す位置が強調表示された表示領域内であることを検出する機能を有する。また、取得部５０１は、検出部５０７によってカーソルＣが指し示す位置が強調表示された表示領域内であることが検出された場合、当該表示領域と関連付けられたコメントデータを取得する機能を有する。
【００６３】
コメント表示部５０８は、コメントデータの一部または全部を吹き出し表示する機能を有する。吹き出し表示とは、特定の大きさの吹き出し図形を表示するとともに、その吹き出し図形内に表示可能な文字数のコメントを表示することである。具体的には、表示制御部５０６は、コメント表示部５０８を制御して、取得部５０１によって取得されたコメントデータの一部または全部を吹き出し表示する。なお、吹き出し図形の表示位置は、たとえば、吹き出し口をカーソルＣが指し示す表示領域内とし、コメントデータを表示する吹き出し図形本体部をその表示領域近傍（たとえば、斜め左下４５度付近）とする。
【００６４】
ここで、吹き出し表示された画面例について説明する。図９は、吹き出し表示された画面例を示す説明図である。図９に示すレセプト画面６００において、カーソルＣが指し示す表示領域Ａ４と関連付けられたコメントデータが、吹き出し図形９００内に吹き出し表示されている。
【００６５】
具体的には、明細項目Ｈｉ−５についての部門１に対するコメント『合計点数が誤っています』が吹き出し図形９００内に表示されている。このように、カーソルＣを移動させて強調表示された表示領域を指し示すだけで、コメントの一部または全部を確認することができる。
【００６６】
また、コメント表示部５０８は、ディスプレイ４０８にコメントデータを表示する機能を有する。画面上におけるコメントデータの表示位置は任意である。たとえば、レセプトデータを表示する表示領域とは異なる表示領域に表示することとしてもよく、また、レセプトデータと重畳表示することとしてもよい。
【００６７】
また、検出部５０７は、強調表示部５０４によって強調表示された表示領域の選択指示を検出する機能を有する。具体的には、たとえば、キーボード４１０やマウス４１１などをユーザが操作することで、カーソルＣを移動させて強調表示された表示領域をダブルクリックしたことを検出する。
【００６８】
また、取得部５０１は、検出部５０７によって選択指示が検出された表示領域と関連付けられたコメントデータを取得する機能を有する。たとえば、図８に示したレセプト画面６００において、表示領域Ａ４の選択指示が検出された場合、コメントＤＢ１２０からコメントデータＣｉ−４を取得することとなる。表示制御部５０６は、コメント表示部５０８を制御して、取得部５０１によって取得されたコメントデータを所定の表示領域に表示する。
【００６９】
ここで、コメントが表示された画面例について説明する。図１０は、コメントが表示された画面例を示す説明図である。図１０に示すレセプト画面６００において、明細項目Ｈｉ−５についての部門１に対するコメントがコメント欄７００に表示されている。このコメント欄７００は、図８に示したレセプト画面６００において、カーソルＣを移動させて表示領域Ａ４をダブルクリックすることで出現する。
【００７０】
これにより、ユーザ（たとえば、部門１の担当者）は、明細項目Ｈｉ−５についての部門１に対するコメントを確認することができる。このように、強調表示された表示領域の選択指示が検出された場合に、その表示領域と関連付けられたコメントを表示することにより、コメント表示にかかる使用エリアを極小化することができる。また、コメントを確認したあと、カーソルＣを移動させてボタン１０１０をクリック（チェック）した状態で、ボタン７４０をクリックすると、表示領域Ａ４の強調表示が解除される。
【００７１】
具体的には、表示制御部５０６は、強調表示部５０４を制御して、検出部５０７によってボタン１０１０がチェックされた状態でのボタン７４０のクリック操作が検出された表示領域Ａ４の強調表示を解除する。これにより、各部門１〜３の担当者によりコメント内容が確認された表示領域の強調表示を解除することができる。
【００７２】
また、コメント表示部５０８によって表示される吹き出し表示の表示位置は任意に決定することができる。具体的には、決定部５０９は、検出部５０７によってコメントの入力指示が検出された場合、カーソルＣが指し示す位置を吹き出し表示の表示位置に決定する機能を有する。
【００７３】
この場合、表示制御部５０６は、コメント表示部５０８を制御して、決定部５０９によって決定された表示位置にコメントデータの一部または全部を吹き出し表示することとなる。なお、検出部５０７によって検出されたカーソルＣが指し示す位置に吹き出し表示する場合の詳細な説明は実施例３において後述する。
【００７４】
（レセコン装置の表示制御処理手順）
つぎに、本実施の形態１にかかるレセコン装置１０１の表示制御処理手順について説明する。まず、明細項目についてのコメントを特定の部門に対して登録する場合の表示制御処理手順について説明する。図１１は、実施の形態１にかかるレセコン装置の表示制御処理手順の一例を示すフローチャート（その１）である。図１１のフローチャートにおいて、まず、入力部５０３により、レセプトデータの表示指示の入力を受け付けたか否かを判断する（ステップＳ１１０１）。
【００７５】
ここで、レセプトデータの表示指示を待って（ステップＳ１１０１：Ｎｏ）、表示指示を受け付けた場合（ステップＳ１１０１：Ｙｅｓ）、取得部５０１により、表示指示から特定されるレセプトデータをレセプトＤＢ１１０から取得し（ステップＳ１１０２）、表示部５０２により、取得されたレセプトデータをディスプレイ４０８に表示する（ステップＳ１１０３）。
【００７６】
このあと、検出部５０７により、明細項目についての特定の部門に対するコメントの入力指示が検出されるのを待って（ステップＳ１１０４：Ｎｏ）、コメントの入力指示が検出された場合（ステップＳ１１０４：Ｙｅｓ）、表示制御部５０６により、コメント表示部５０８を制御してコメント欄を表示する（ステップＳ１１０５）。
【００７７】
そして、コメントの入力が完了するのを待って（ステップＳ１１０６：Ｎｏ）、コメントの入力が完了すると（ステップＳ１１０６：Ｙｅｓ）、レセプトデータ内の明細項目と、部門と、入力されたコメントに関するコメントデータとを関連付けてコメントＤＢ１２０に登録して（ステップＳ１１０７）、本フローチャートによる一連の処理を終了する。
【００７８】
これにより、レセプトデータ内の各明細項目についてのコメントを部門ごとに登録することができる。
【００７９】
つぎに、コメント付きのレセプトデータを表示する場合の表示制御処理手順について説明する。図１２は、実施の形態１にかかるレセコン装置の表示制御処理手順の一例を示すフローチャート（その２）である。図１２のフローチャートにおいて、まず、入力部５０３により、レセプトデータの表示指示の入力を受け付けたか否かを判断する（ステップＳ１２０１）。
【００８０】
ここで、レセプトデータの表示指示を待って（ステップＳ１２０１：Ｎｏ）、表示指示を受け付けた場合（ステップＳ１２０１：Ｙｅｓ）、取得部５０１により、表示指示から特定されるレセプトデータをレセプトＤＢ１１０から取得するとともに、そのレセプトデータと関連付けられたコメントリスト３００−１〜３００−ｎをコメントＤＢ１２０から取得する（ステップＳ１２０２）。
【００８１】
このあと、判定部５０５により、取得されたコメントリスト３００−１〜３００−ｎの中から任意のコメントデータを抽出し（ステップＳ１２０３）、抽出されたコメントデータから特定される表示領域を、コメントデータが登録されている表示領域として判定する（ステップＳ１２０４）。
【００８２】
つぎに、取得されたコメントリスト３００−１〜３００−ｎの中から抽出されていない未抽出のコメントデータがあるか否かを判断し（ステップＳ１２０５）、未抽出のコメントデータがある場合（ステップＳ１２０５：Ｙｅｓ）、ステップＳ１２０３に戻り、コメントリスト３００−１〜３００−ｎの中から未抽出のコメントデータを取得する。
【００８３】
一方、未抽出のコメントデータがない場合（ステップＳ１２０５：Ｎｏ）、表示部５０２により、レセプトデータをディスプレイ４０８に表示するとともに、表示制御部５０６により、コメント表示部５０８を制御して、コメントデータが登録されている表示領域を強調表示して（ステップＳ１２０６）、本フローチャートによる一連の処理を終了する。
【００８４】
これにより、明細項目と同一行に設けられた部門ごとの表示領域のうち、部門に対するコメントデータが登録されている表示領域を強調表示することができる。
【００８５】
つぎに、各部門の担当者によるコメントの確認作業時の表示制御処理手順について説明する。図１３は、実施の形態１にかかるレセコン装置の表示制御処理手順の一例を示すフローチャート（その３）である。図１３のフローチャートにおいて、まず、検出部５０７により、強調表示部５０４によって強調表示された表示領域の選択指示が検出されたか否かを判断する（ステップＳ１３０１）。
【００８６】
ここで、強調表示された表示領域の選択指示が検出されるのを待って（ステップＳ１３０１：Ｎｏ）、検出された場合（ステップＳ１３０１：Ｙｅｓ）、取得部５０１により、選択指示が検出された表示領域と関連付けられたコメントデータをコメントＤＢ１２０から取得して（ステップＳ１３０２）、表示制御部５０６により、コメント表示部５０８を制御して、取得されたコメントデータを所定の表示領域に表示する（ステップＳ１３０３）。
【００８７】
このあと、検出部５０７により、コメント表示部５０８によって表示されたコメントデータの削除指示が検出されたか否かを判断する（ステップＳ１３０４）。具体的には、たとえば、図１０に示したボタン１０１０がチェックされた状態でのボタン７４０のクリック操作を検出する。
【００８８】
ここで、コメントデータの削除指示が検出されるのを待って（ステップＳ１３０４：Ｎｏ）、検出された場合（ステップＳ１３０４：Ｙｅｓ）、表示制御部５０６により、強調表示部５０４を制御して、削除指示が検出されたコメントデータと関連付けられている表示領域の強調表示を解除して（ステップＳ１３０５）、本フローチャートによる一連の処理を終了する。
【００８９】
これにより、強調表示されている表示領域のうち、コメントデータの削除指示があった表示領域の強調表示を解除することができる。
【００９０】
以上説明した実施の形態１によれば、レセプトデータ内の各明細項目についてのコメントを部門ごとに登録することができる。また、明細項目単位で設けられた部門ごとの表示領域を強調表示することで、各部門に対するコメントの有無を報知することができる。このとき、表示画面上にコメントを直接表示しないため、コメント表示にかかる使用エリアを極小化することができる。
【実施例１】
【００９１】
つぎに、実施の形態１の実施例１について説明する。実施例１では、特定の明細項目について、同じ部門に対して複数のコメントが登録されている場合の吹き出し表示について説明する。ここでは、図８に示したレセプト画面６００において、カーソルＣを移動させて表示領域Ａ３を指し示した場合の吹き出し表示を例に挙げて説明する。
【００９２】
まず、判定部５０５は、カーソルＣが指し示す強調表示された表示領域Ａ３と関連付けられたコメントデータが複数登録されているか否かを判定する。具体的には、取得部５０１によって取得される表示領域Ａ３と関連付けられたコメントデータＣｉ−３，Ｃｉ−４によって複数登録を判定する。
【００９３】
そして、表示制御部５０６は、判定部５０５によって複数登録されていると判定された場合、コメント表示部５０８を制御して、コメントデータＣｉ−３，Ｃｉ−４の一部または全部を、複数のコメントデータ間で切り替え可能に吹き出し表示する。図１４は、複数コメントの吹き出し表示の一例を示す説明図である。
【００９４】
図１４に示すレセプト画面６００において、カーソルＣが指し示す表示領域Ａ３と関連付けられたコメントデータが、吹き出し図形１４００内に吹き出し表示されている。具体的には、明細項目Ｈｉ−４についての部門２に対するコメント『傷病名が誤っています』が吹き出し図形１４００内に表示されている。
【００９５】
また、レセプト画面６００において、カーソルＣを移動させてボタン１４０２をクリックすると、コメント内容が切り替わって、明細項目Ｈｉ−４についての部門２に対するコメント『すべての担当医師が確認して下さい』が吹き出し図形１４００内に表示される。さらにこのあとカーソルＣを移動させてボタン１４０１をクリックすると、コメント内容が部門２に対するコメント『傷病名が誤っています』に切り替わる。なお、吹き出し表示するコメントの順序は、コメントが登録された順序にあわせることとしてもよい。
【００９６】
また、複数コメントが登録された表示領域Ａ３をダブルクリックすると、任意のコメントを選択する選択欄が表示される。図１５は、選択欄の一例を示す説明図である。図１５において、選択欄１５００には、表示領域Ａ３と関連付けて登録されているコメントを表示するボックス１５０１，１５０２が表示されている。
【００９７】
選択欄１５００において、カーソルＣを移動させてボックス１５０１をクリックすると、明細項目Ｈｉ−４についての部門１に対するコメント『傷病名が誤っています』がコメント欄７００（図１０参照）に表示される。一方、カーソルＣを移動させてボックス１５０２をクリックすると、明細項目Ｈｉ−４についての部門１に対するコメント『すべての担当医師が確認して下さい』の一部がコメント欄７００に表示される。
【００９８】
つぎに、複数コメントを吹き出し表示する表示制御処理手順について説明する。図１６は、複数コメントを吹き出し表示する表示制御処理手順の一例を示すフローチャートである。図１６において、まず、検出部５０７により、カーソルＣが指し示す位置が強調表示された表示領域内であることが検出されたか否かを判断する（ステップＳ１６０１）。
【００９９】
ここで、強調表示された表示領域内であることが検出されるのを待って（ステップＳ１６０１：Ｎｏ）、検出された場合（ステップＳ１６０１：Ｙｅｓ）、取得部５０１により、カーソルＣが指し示す表示領域と関連付けられたコメントデータをコメントＤＢ１２０から取得する（ステップＳ１６０２）。
【０１００】
このあと、判定部５０５により、取得されたコメントデータに基づいて、コメントデータが複数登録されているか否かを判定する（ステップＳ１６０３）。ここで、複数登録されていると判定された場合（ステップＳ１６０３：Ｙｅｓ）、表示制御部５０６により、コメント表示部５０８を制御して、複数のコメントデータの一部または全部を、複数のコメントデータ間で切り替え可能に吹き出し表示する（ステップＳ１６０４）。
【０１０１】
一方、複数登録されていないと判定された場合（ステップＳ１６０３：Ｎｏ）、表示制御部５０６により、コメント表示部５０８を制御して、コメントデータの一部または全部を吹き出し表示する（ステップＳ１６０５）。
【０１０２】
このように実施例１によれば、特定の明細項目について、同一部門に対する複数のコメントデータが登録されている場合、それら複数のコメント間で切り替え可能に吹き出し表示することができる。これにより、カーソルＣを移動させて強調表示された表示領域を指し示すことで、複数部門に対するコメント内容を表示することができ、ユーザの利便性の向上を図ることができる。
【実施例２】
【０１０３】
つぎに、実施の形態１の実施例２について説明する。実施例２では、特定の明細項目について複数の部門に対してコメントが登録されている場合のコメント表示について説明する。ここでは、図８に示したレセプト画面６００において、カーソルＣを移動させて表示領域Ａ１をダブルクリックした場合を例に挙げて説明する。
【０１０４】
まず、判定部５０５は、検出部５０７によって表示領域Ａ１の選択指示が検出された場合、明細項目Ｈｉ−１と同一行に設けられた複数の表示領域のうち、表示領域Ａ１とは異なる他の表示領域と関連付けられたコメントデータが登録されているか否かを判定する。
【０１０５】
具体的には、たとえば、取得部５０１によって取得されるコメントデータＣｉ−１，Ｃｉ−２に基づいて、他の表示領域と関連付けられたコメントデータが登録されているか否かを判定する。ここでは、表示領域Ａ２と関連付けられたコメントデータＣｉ−２が登録されていると判定する。
【０１０６】
このあと、表示制御部５０６は、コメント表示部５０８を制御して、コメントデータＣｉ−１，Ｃｉ−２を、複数のコメントデータ間で切り替え可能にコメント欄７００に表示する。図１７は、複数コメントを表示するコメント欄の一例を示す説明図である。図１７に示すレセプト画面６００において、明細項目Ｈｉ−１についての部門１に対するコメント『患者ＩＤが未入力です』がコメント欄７００に表示されている。
【０１０７】
レセプト画面６００において、カーソルＣを移動させてボタン１７０２をクリックすると、コメント内容が切り替わって（ここではコメント内容は同じ）、明細項目Ｈｉ−１についての部門３に対するコメント『患者ＩＤが未入力です』がコメント欄７００に表示される。
【０１０８】
このときコメント欄７００に表示されているコメントは、他部門に対するコメントのため、『確認済』のチェックをおこなうことができない『参照モード』（図中、符号１７０３）となっている。さらにこのあとカーソルＣを移動させてボタン１７０１をクリックすると、コメント内容が部門１に対するコメント『患者ＩＤが未入力です』に切り替わる。
【０１０９】
また、部門１に対するコメント『患者ＩＤが未入力です』を確認したあと、カーソルＣを移動させてボタン１０１０をクリック（チェック）した状態で、ボタン７４０をクリックすると、表示領域Ａ４１強調表示が解除される。
【０１１０】
なお、自部門に対するコメントを表示する際のコメント欄７００の背景色と、他部門に対するコメントを表示する際のコメント欄７００の背景色とを、表示領域を強調表示する際の色とそれぞれ合わせることとしてもよい。これにより、ユーザが自部門に対するコメントなのか他部門に対するコメントなのかを簡単に識別することができる。
【０１１１】
つぎに、複数コメントをコメント欄に表示する表示制御処理手順について説明する。図１８は、複数コメントをコメント欄に表示する表示制御処理手順の一例を示すフローチャートである。図１８のフローチャートにおいて、まず、検出部５０７により、強調表示された表示領域の選択指示が検出されたか否かを判断する（ステップＳ１８０１）。
【０１１２】
ここで、選択指示が検出されるのを待って（ステップＳ１８０１：Ｎｏ）、検出された場合（ステップＳ１８０１：Ｙｅｓ）、取得部５０１により、選択指示が検出された表示領域と同一行の明細項目に関するコメントデータをコメントＤＢ１２０から取得する（ステップＳ１８０２）。
【０１１３】
このあと、判定部５０５により、取得されたコメントデータに基づいて、明細項目単位で設けられた複数の表示領域のうち、選択指示が検出された一の表示領域とは異なる他の表示領域と関連付けられたコメントデータが登録されているか否かを判定する（ステップＳ１８０３）。
【０１１４】
ここで、他の表示領域と関連付けられたコメントデータが登録されていると判定された場合（ステップＳ１８０３：Ｙｅｓ）、表示制御部５０６により、コメント表示部５０８を制御して、一の表示領域と関連付けられたコメントデータと、他の表示領域と関連付けられたコメントデータとを、複数のコメントデータ間で切り替え可能にコメント欄７００に表示する（ステップＳ１８０４）。
【０１１５】
一方、他の表示領域と関連付けられたコメントデータが登録されていないと判定された場合（ステップＳ１８０３：Ｎｏ）、表示制御部５０６により、コメント表示部５０８を制御して、一の表示領域と関連付けられたコメントデータをコメント欄７００に表示する（ステップＳ１８０５）。
【０１１６】
このように実施例２によれば、自部門に対するコメントデータを確認する際に、他部門に対するコメントデータも一度に参照することができる。また、このとき、他部門に対するコメントは参照モードでの表示とすることにより、他部門に対するコメントが誤って削除されることを防ぐことができる。
【実施例３】
【０１１７】
つぎに、実施の形態１の実施例３について説明する。実施例３では、明細項目についてのコメント入力時に指定された表示位置に吹き出し表示する場合について説明する。ここでは、図１９に示すレセプト画面を用いて、レセプトデータＲｉ内の明細項目Ｈｉ−５の『７２，４０２』の部分が誤っている旨のコメントを部門１に対して残す場合について説明する。
【０１１８】
図１９は、指定された表示位置に吹き出し表示する画面例を示す説明図である。図１９において、まず、検出部５０７により、カーソルＣが指し示す表示位置の明細項目Ｈｉ−５に関するコメントデータの入力指示を検出する。具体的には、たとえば、カーソルＣが『７２，４０２』の部分を指し示した状態での右クリックを検出する。
【０１１９】
そして、決定部５０９により、検出部５０７によって検出された表示位置を吹き出し表示の表示位置に決定する。具体的には、たとえば、検出部５０７によって検出されたカーソルＣが指し示す表示位置の座標位置を特定し、特定された座標位置を吹き出し表示の表示位置に決定することとしてもよい。なお、カーソルＣが指し示す表示位置の座標位置は、たとえば、レセプトデータＲｉ内での座標位置として特定してもよく、また、明細項目内での座標位置として特定してもよい。ここでは、明細項目内での座標位置として特定する。明細項目内での原点位置は任意に設定可能であり、たとえば、左上角、右上角、左下角または右下角などに設定する。
【０１２０】
このあと、表示制御部５０６は、コメント表示部５０８を制御して、選択欄１９００を表示する。ここで、カーソルを移動して任意のボタン１９０１〜１９０３をクリックすることで、任意の部門１〜３に対するコメントを入力することができる。コメントの入力が完了すると、レセプトＩＤ『Ｒｉ』と、明細項目ＩＤ『Ｈｉ−５』と、部門『１』と、コメントデータと、決定部５０９によって決定された座標位置とが関連付けられてコメントＤＢ１２０に登録される。
【０１２１】
以降において、レセプト画面６００において、カーソルＣを移動させて表示領域Ａ４を指し示すと、表示制御部５０６により、コメント表示部５０８を制御して、表示領域Ａ４と関連付けて登録されているコメントデータＣｉ−５が、明細項目Ｈｉ−５内の『７１，４０２』の表示位置に吹き出し表示される。
【０１２２】
具体的には、まず、取得部５０１により、検出部５０７によってカーソルＣが指し示す位置が表示領域Ａ４内であることが検出された場合、表示領域Ａ４と関連付けられたコメントデータ（決定部５０９によって決定された座標位置を含む）をコメントＤＢ１２０から取得する。そして、表示制御部５０６により、コメント表示部５０８を制御して、取得部５０１によって取得されたコメントデータの一部または全部を、決定部５０９によって決定された座標位置に吹き出し表示する。
【０１２３】
より詳細に説明すると、取得部５０１によって取得されたコメントデータから特定される明細項目（ここでは明細項目Ｈｉ−５）内での座標位置を特定し、特定された座標位置に吹き出し口が位置するように吹き出し表示する。このように、吹き出し表示する表示位置を明細項目内での座標位置として特定することで、レセプトデータＲｉの記載内容が修正された場合（たとえば、明細項目の追加、削除など）であっても、適切な表示位置に吹き出し表示することができる。
【０１２４】
さらに、吹き出し表示する表示位置を、カーソルＣが指し示す文字（図１９に示す例では『７』）を含む文字列（図１９に示す例では『７，２４０２』）の表示位置として特定することとしてもよい。この場合、コメントデータから特定される明細項目Ｈｉ−５内での文字列『７，２４０２』の座標位置（たとえば、文字列の中心位置）を特定し、特定された座標位置に吹き出し表示する。これにより、同一の明細項目の内容が修正された場合であっても、文字列が削除されていない限り、適切な表示位置に吹き出し表示することができる。なお、吹き出し表示する表示位置を特定することができなかった場合には、通常の表示位置（ここでは表示領域Ａ４）に吹き出し表示することとしてもよい。
【０１２５】
このように実施例３によれば、任意の表示位置にコメントを吹き出し表示することができる。これにより、明細項目内の誤り箇所に吹き出し表示することができる。この結果、明細項目内のどの部分について指摘されているのかをユーザが容易に特定することができる。さらに、明細項目内のどの部分が誤っているのかをコメントとして詳細に残す必要がないため、コメント入力時の手間を軽減することができる。
【０１２６】
（実施の形態２）
つぎに、実施の形態２について説明する。実施の形態２では、実施の形態１で説明した表示制御装置を医療業務支援システムに適用する場合について説明する。なお、実施の形態１で示した構成と同一構成については同一符号を付し、その説明を省略する。
【０１２７】
まず、本実施の形態２にかかる医療業務支援システムのシステム構成について説明する。図２０は、本実施の形態２にかかる医療業務支援システムのシステム構成図である。図２０において、医療業務支援システム２０００は、サーバ２００１と、複数のクライアント端末２００２−１〜２００２−ｍ（図２０では３台）と、がインターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などのネットワーク４１４を介して相互に通信可能に接続されている。
【０１２８】
サーバ２００１は、レセプトＤＢ１１０とコメントＤＢ１２０とを備え、クライアント端末２００２−１〜２００２−ｍからのレセプトデータの表示要求を受け付けるコンピュータ装置である。各クライアント端末２００２−１〜２００２−ｍでおこなわれたレセプトデータの作成、修正、削除、およびコメントデータの作成、修正、削除はサーバ２００１において一元管理される。
【０１２９】
クライアント端末２００２−１〜２００２−ｍは、医師課部門や医事課部門の担当者（図２０では、医師Ａ、医師Ｂ、医療事務員Ｃ）が使用するコンピュータ装置である。各担当者は、クライアント端末２００２−１〜２００２−ｍにおいて、レセプトデータの作成、修正、削除、およびコメントデータの作成、修正、削除をおこなうことができる。なお、クライアント端末２００２−１〜２００２−ｍは、各端末のブラウザ機能を利用して、レセプトデータをＨＴＭＬ（ＨｙｐｅｒＴｅｘｔ  Ｍａｒｋｕｐ  Ｌａｎｇｕａｇｅ）形式でディスプレイ４０８に表示する。
【０１３０】
ここで、医療業務支援システム２０００における一連の処理の概要を説明する。まず、サーバ２００１は、たとえば、医師Ａが使用するクライアント端末２００２−１からレセプトデータの表示要求があった場合、その表示要求から特定されるレセプトデータをレセプトＤＢ１１０から取得して要求元のクライアント端末２００２−１に送信する。
【０１３１】
この結果、医師Ａが使用するクライアント端末２００２−１にレセプトデータが表示される。このあと、クライアント端末２００２−１において、レセプトデータの修正やコメントデータの作成、修正、削除などの変更処理がおこなわれた場合、その変更結果がサーバ２００１に送信される。
【０１３２】
また、サーバ２００１において受信された変更結果は、レセプトＤＢ１１０およびコメントＤＢ１２０の記憶内容に反映される。なお、レセプトデータの同時閲覧を防止するために、クライアント端末２００２−１がサーバ２００１にアクセス中は、他のクライアント端末２００２−２〜２００２−ｍからサーバ２００１へのアクセスを禁止することとしてもよい。
【０１３３】
以上説明した実施の形態２によれば、各部門の担当者が使用するクライアント端末２００２−１〜２００２−ｍからサーバ２００１にアクセスすることで、レセプトチェックにかかる各種作業を自端末でおこなうことができる。これにより、各担当者が操作端末（実施の形態１で説明したレセコン装置１０１）に足を運ぶ手間が省け、利便性の向上を図ることができる。
【０１３４】
このように、この表示制御プログラム、表示制御装置、表示制御方法によれば、コメント表示にかかる使用エリアを極小化するとともに、部門ごとのコメント対応を可能とすることにより、レセプトチェックにかかる作業負担の軽減化および作業効率の向上を図ることができる。
【０１３５】
なお、本実施の形態で説明した表示制御方法は、予め用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【０１３６】
【図１】実施の形態１の概要を示す説明図である。
【図２】レセプトＤＢの記憶内容を示す説明図である。
【図３】コメントＤＢの記憶内容を示す説明図である。
【図４】レセコン装置のハードウェア構成を示すブロック図である。
【図５】レセコン装置の機能的構成を示すブロック図である。
【図６】レセプトデータの画面例を示す説明図である。
【図７】コメント欄の一例を示す説明図である。
【図８】表示領域が強調表示された画面例を示す説明図である。
【図９】吹き出し表示された画面例を示す説明図である。
【図１０】コメントが表示された画面例を示す説明図である。
【図１１】実施の形態１にかかるレセコン装置の表示制御処理手順の一例を示すフローチャート（その１）である。
【図１２】実施の形態１にかかるレセコン装置の表示制御処理手順の一例を示すフローチャート（その２）である。
【図１３】実施の形態１にかかるレセコン装置の表示制御処理手順の一例を示すフローチャート（その３）である。
【図１４】複数コメントの吹き出し表示の一例を示す説明図である。
【図１５】選択欄の一例を示す説明図である。
【図１６】複数コメントを吹き出し表示する表示制御処理手順の一例を示すフローチャートである。
【図１７】複数コメントを表示するコメント欄の一例を示す説明図である。
【図１８】複数コメントをコメント欄に表示する表示制御処理手順の一例を示すフローチャートである。
【図１９】指定された表示位置に吹き出し表示する画面例を示す説明図である。
【図２０】本実施の形態２にかかる医療業務支援システムのシステム構成図である。
【符号の説明】
【０１３７】
１０１  レセプトコンピュータ装置
１１０  レセプトＤＢ
１２０  コメントＤＢ
５０１  取得部
５０２  表示部
５０３  入力部
５０４  強調表示部
５０５  判定部
５０６  表示制御部
５０７  検出部
５０８  コメント表示部
５０９  決定部
【図１】
0005061993.tif 000002
【図２】
0005061993.tif 000003
【図３】
0005061993.tif 000004
【図４】
0005061993.tif 000005
【図５】
0005061993.tif 000006
【図６】
0005061993.tif 000007
【図７】
0005061993.tif 000008
【図８】
0005061993.tif 000009
【図９】
0005061993.tif 000010
【図１０】
0005061993.tif 000011
【図１１】
0005061993.tif 000012
【図１２】
0005061993.tif 000013
【図１３】
0005061993.tif 000014
【図１４】
0005061993.tif 000015
【図１５】
0005061993.tif 000016
【図１６】
0005061993.tif 000017
【図１７】
0005061993.tif 000018
【図１８】
0005061993.tif 000019
【図１９】
0005061993.tif 000020
【図２０】
0005061993.tif 000021